(57)【要約】      （修正有）【課題】簡易な構成によって断熱効果と容器本体の安定性を向上させることができる厚紙製外被を備えた包装用容器の構造を提供する。【解決手段】容器１０の基本的形状を規定するプラスチックシートの成形品よりなる容器本体１１と、容器本体１１の外周壁部に取り付けられ印刷面２１が形成され容器１０の外観意匠を規定し容器把持部となる厚紙製外被２０とからなり、厚紙製外被２０は容器本体１１の外周壁部と断熱空間Ｓを介して配置されており、かつ厚紙製外被２０の上部の保持部３０により容器本体１１に取り付けられているとともに、厚紙製外被２０の下部は内側へ折り曲げ絞り込まれて容器本体１１の底面１５ａ外側に位置する容器高台部２５として構成される。【選択図】図２
0003195580.tif 000002
【実用新案登録請求の範囲】
【請求項１】
容器の基本的形状を規定するプラスチックシートの成形品よりなる容器本体と、
前記容器本体の外周壁部に取り付けられ印刷面が形成され容器の外観意匠を規定し容器把持部となる厚紙製外被とからなり、
前記厚紙製外被は前記容器本体の外周壁部と断熱空間を介して配置されており、かつ前記厚紙製外被の上部の保持部により前記容器本体に取り付けられているとともに、前記厚紙製外被の下部は内側へ折り曲げ絞り込まれて前記容器本体の底面外側に位置する容器高台部として構成された
ことを特徴とする厚紙製外被を備えた包装用容器の構造。
【請求項２】
前記厚紙製外被の上端部に容器本体との当接部を有する請求項１に記載の厚紙製外被を備えた包装用容器の構造。
【請求項３】
前記厚紙製外被が撥水性又は耐水性を有する請求項１または２に記載の厚紙製外被を備えた包装用容器の構造。
【請求項４】
前記容器がカップ状の即席食品容器である請求項１ないし３のいずれか１項に記載の厚紙製外被を備えた包装用容器の構造。
【考案の詳細な説明】
【技術分野】
【０００１】
本考案は、容器の基本的形状を規定するプラスチックシートの成形品よりなる容器本体と、前記容器本体の外周壁部に取り付けられた厚紙製外被を備えた包装用容器の構造に関する。
【背景技術】
【０００２】
例えば、ラーメン、うどん、コーヒー、味噌汁等の即席食品等が収容される容器では、プラスチック（熱可塑性樹脂）を素材とする容器本体を真空成形や圧空成形等によりカップ状等の所定形状に成形し、容器本体の外周面に厚紙を主体とする外被（スリーブ）を巻装した包装用容器が知られている（例えば特許文献１参照。）。
【０００３】
容器本体外周面を被覆する外被は、内容物の種類や調理法、商品名等の様々な文字情報の表示や、パッケージデザイン等の美粧性を向上させる等を目的として、前記文字情報や図柄等が印刷される印刷面が形成される。また、飲食等に際しては、外被は利用者が把持する容器把持部となり、熱湯が注がれた容器本体に利用者が直接触れないようにすることでやけど等を防止する断熱材としても作用する。
【０００４】
しかしながら、上記包装用容器では、容器本体に熱湯が注がれることにより、容器底面がたわむ等の変形が生じやすくなり、容器底面の接地時に容器本体が不安定となって転倒しやすくなるおそれがあった。
【先行技術文献】
【特許文献】
【０００５】
【特許文献１】特開２００９−２２０８６２号公報
【考案の概要】
【考案が解決しようとする課題】
【０００６】
本考案は前記の点に鑑みなされたものであり、簡易な構成によって断熱効果と容器本体の安定性を向上させることができる厚紙製外被を備えた包装用容器の構造を提供するものである。
【課題を解決するための手段】
【０００７】
すなわち、請求項１の考案は、容器の基本的形状を規定するプラスチックシートの成形品よりなる容器本体と、前記容器本体の外周壁部に取り付けられ印刷面が形成され容器の外観意匠を規定し容器把持部となる厚紙製外被とからなり、前記厚紙製外被は前記容器本体の外周壁部と断熱空間を介して配置されており、かつ前記厚紙製外被の上部の保持部により前記容器本体に取り付けられているとともに、前記厚紙製外被の下部は内側へ折り曲げ絞り込まれて前記容器本体の底面外側に位置する容器高台部として構成されたことを特徴とする厚紙製外被を備えた包装用容器の構造に係る。
【０００８】
請求項２の考案は、前記厚紙製外被の上端部に容器本体との当接部を有する請求項１に記載の厚紙製外被を備えた包装用容器の構造に係る。
【０００９】
請求項３の考案は、前記厚紙製外被が撥水性又は耐水性を有する請求項１または２に記載の厚紙製外被を備えた包装用容器の構造に係る。
【００１０】
請求項４の考案は、前記容器がカップ状の即席食品容器である請求項１ないし３のいずれか１項に記載の厚紙製外被を備えた包装用容器の構造に係る。
【考案の効果】
【００１１】
請求項１の考案に係る厚紙製外被を備えた包装用容器の構造は、容器の基本的形状を規定するプラスチックシートの成形品よりなる容器本体と、前記容器本体の外周壁部に取り付けられ印刷面が形成され容器の外観意匠を規定し容器把持部となる厚紙製外被とからなり、前記厚紙製外被は前記容器本体の外周壁部と断熱空間を介して配置されており、かつ前記厚紙製外被の上部の保持部により前記容器本体に取り付けられているとともに、前記厚紙製外被の下部は内側へ折り曲げ絞り込まれて前記容器本体の底面外側に位置する容器高台部として構成されたため、極めて簡易な構成によって容器本体の胴部及び底部において優れた断熱性能を確保することができるとともに、容器本体の安定性が向上して転倒等を抑制することが可能となる。
【００１２】
請求項２の考案は、請求項１において、前記厚紙製外被の上端部に容器本体との当接部を有するため、容器本体を支持して脱落を防止することができる。
【００１３】
請求項３の考案は、請求項１または２において、前記厚紙製外被が撥水性又は耐水性を有するため、結露や吸湿による厚紙製外被の軟化を防止して当該容器の剛性や形状を効果的に保持することが可能となる。
【００１４】
請求項４の考案は、請求項１ないし３において、前記容器がカップ状の即席食品容器であるため、利用者が当該容器を把持しやすくなり、やけどや転倒等のおそれがなく快適に飲食することができる。
【図面の簡単な説明】
【００１５】
【図１】本考案の一実施例に係る包装用容器の分解斜視図である。
【図２】図１の包装用容器の断面図である。
【考案を実施するための形態】
【００１６】
図１，２に示す包装用容器１０は、熱湯を注ぐことによって飲食が可能となるラーメン、うどん、コーヒー、味噌汁等の即席食品や、清涼飲料水、アイスクリーム、果物等の低温食品の他、チルドの弁当、惣菜、スープ等の内容物を収容するものであって、容器本体１１と、厚紙製外被２０とを備える。実施例の包装用容器１０は、カップ状の即席食品容器である。
【００１７】
容器本体１１は、図１，２に示すように、当該容器１０の基本的形状を規定するプラスチックシート（熱可塑性樹脂シート）の成形品よりなる。実施例の容器本体１１は、開口部１３から底部１５へ外径が縮小する略逆円錐台形状の胴部１２を有するカップ状である。図において、符号１２ａは容器本体１１の胴部１２を構成する外周壁部、１３ａは開口部１３の縁部に形成されたフランジ部、１４は開口部１３近傍の胴部１２に拡径された段差部、１５ａは底面、１６は底面１５ａの略中央部分を容器本体１１の内部側へ凹ませた底凹部である。
【００１８】
この容器本体１１は、プラスチックシート（熱可塑性樹脂シート）を用いて真空成形や圧空成形等の公知の成形方法により成形される。容器本体１１の厚みは、強度や重量、製造コスト等を考慮して適宜に設定される。
【００１９】
容器本体１１を構成する材料としては、熱湯が注がれても変形しにくい耐熱性に優れたポリプロピレン等のポリオレフィン樹脂やポリエチレンテレフタレート等のポリエステル樹脂等の熱可塑性樹脂が好適に使用される。特に、ポリプロピレン樹脂は耐熱性に加え、水蒸気バリア性を備えることから、容器としての保存性に優れ、消費期限上有利となる。また、低温食品等の高温にならない内容物を収容する場合、ポリエチレンテレフタレートやポリスチレン等を用いてもよい。
【００２０】
厚紙製外被２０は、図１，２に示すように、容器本体１１の外周壁部１２ａに取り付けられて胴部１２を覆う厚紙製の加飾用の被覆シートであって、印刷面２１が形成されて容器１０の外観意匠を規定する。印刷面２１では、表面に内容物の種類や調理法、商品名等の文字情報や、ブランドに係る適宜のパッケージデザインのための図柄等が印刷される。このように印刷面２１への印刷により当該容器１０の意匠性や美粧性等を容易に向上させることができ、商品価値を高めることが可能となる。
【００２１】
また、厚紙製外被２０は、利用者が内容物を食す場合等において、利用者が把持するための容器把持部となる。容器把持部としての厚紙製外被２０は、容器本体１１の胴部１２を被覆することで、利用者が容器本体１１の胴部１２に直に触れることを回避する断熱材として作用する。これにより、利用者が厚紙製外被２０を介して当該容器１０を把持した場合に、容器本体１１が熱湯等を注がれて高温となっていてもやけどするおそれがない。一方、低温食品等の冷たい内容物を収容した場合においては、利用者の体温が内容物に伝わることが抑制されるため、内容物の低温状態を長く維持することが可能となる。
【００２２】
さらに、上記厚紙製外被２０は、撥水性または耐水性を有することが好ましく、例えば、厚紙の表面に撥水剤等による撥水加工を施した撥水紙や、厚紙の表面にフィルム等が貼着された耐水紙が好適に用いられる。厚紙製外被２０が撥水性または耐水性を有することにより、結露や吸湿による厚紙製外被２０の軟化を防止することができるため、当該容器１０の剛性や形状を効果的に保持することが可能となる。
【００２３】
本考案の包装用容器１０の構造では、図２に示すように、厚紙製外被２０が容器本体１１の外周壁部１２ａと断熱空間Ｓを介して配置されており、かつ厚紙製外被２０の上部の保持部３０により容器本体１１に取り付けられている。保持部３０は公知の接着剤であり、容器本体１１と厚紙製外被２０とを接着して固定する。実施例では、厚紙製外被２０が略扇形状の厚紙製シート（図示せず）の両側辺部を貼着して略逆円錐台形状の筒体に形成されており、その上部の内面側が容器本体１１の胴部１２の段差部１４に接着剤である保持部３０を介して貼着される。その際、厚紙製外被２０の上端部を容器本体１１のフランジ部１３ａとの当接部２２とすることで、容器本体１１を支持して脱落を防止することができる。なお、必要に応じて容器本体１１の下部と厚紙製外被２０の下部とを、上部と同様に接着剤等の保持部３０によって固定することで、容器本体１１の脱落をより確実に防止することができる。
【００２４】
一方、段差部１４より下方の胴部１２では、外周壁部１２ａと厚紙製外被２０とが離隔されて断熱空間Ｓを形成する。断熱空間Ｓにより、当該容器１０の十分な断熱性能を容易に確保することが可能となる。
【００２５】
さらに、この容器１０の構造では、図１，２に示すように、厚紙製外被２０の下部が内側へ折り曲げ絞り込まれて容器本体１１の底面１５ａ外側に位置する容器高台部２５として構成されている。容器高台部２５は、容器本体１１を底上げして底面１５ａを接地面Ｇから離隔するものである。容器本体１１を底上げすることにより、底面１５ａと接地面Ｇとの間に断熱空間Ｓ１を形成することができ、容器本体１１の底部１５の断熱効果を向上させることができる。また、熱湯等が注がれて容器本体１１の底部１５にたわみ等の変形が生じても接地面Ｇと接触することがなく、安定性が妨げられるおそれがない。
【００２６】
容器高台部２５は、当該容器１０を安定して立設させる脚部としても作用する。この脚部としての容器高台部２５では、折り曲げ部２６の内周側が絞り込まれていることにより、内周側の全周に亘って複数の縦方向のしわ２７が不規則に形成される。これにより、容器高台部２５の強度が増すため、脚部としての安定性が向上する。容器高台部２５の高さ、つまり接地面Ｇから底面１５ａまでの高さＨは、容器高台部２５の強度や安定性等を考慮して適宜に設定される。実施例では約６ｍｍである。
【００２７】
また、図２に示すように、容器高台部２５では、折り曲げ部２６の先端２６ａと容器本体１１の底面１５ａ外側とが接触せずに近接した状態とされている。そのため、熱湯等が注がれて容器本体１１の底部１５にたわみ等の変形が生じた場合に、変形した容器本体１１の底面１５ａ外側による容器高台部２５の折り曲げ部先端２６ａへの押圧が緩和され、容器高台部２５の変形が抑制されて安定性が悪化せず、転倒の可能性を低減することができる。
【００２８】
以上図示し説明したように、本考案の厚紙製外被２０を備えた包装用容器１０の構造は、優れた断熱性能及び安定性を有するものであるから、熱湯を注ぐことによって飲食が可能な即席食品用の容器として最適である。また、カップ状とすることで利用者が当該容器１０を把持しやすくなり、やけどや転倒等のおそれがなく快適に飲食することができる。
【００２９】
なお、本考案の厚紙製外被を備えた包装用容器の構造は、実施例のみに限定されるものではなく、考案の趣旨を逸脱しない範囲において構成の一部を適宜に変更して実施することができる。例えば、廃棄時の分別を容易にするために、厚紙製外被に鉤状の切込みやミシン目等の破断部を設けて、容器本体から分離しやすくしてもよい。
【符号の説明】
【００３０】
１０    包装用容器
１１    容器本体
１２    胴部
１２ａ  外周壁部
１３    開口部
１３ａ  フランジ部
１４    段差部
１５    底部
１５ａ  底面
１６    底凹部
２０    厚紙製外被
２１    印刷面
２２    当接部
２５    容器高台部
２６    折り曲げ部
２７    しわ
３０    保持部
Ｇ      接地面
Ｈ      容器高台部の高さ
Ｓ，Ｓ１      断熱空間
【図１】
0003195580.tif 000003
【図２】
0003195580.tif 000004